(57)【要約】【課題】カラオケ店舗の歌唱傾向を事前に提示することが可能なカラオケシステムを提供する。【解決手段】サーバ装置及び携帯端末を含むカラオケシステムであって、前記サーバ装置は、カラオケ店舗におけるカラオケ楽曲の演奏履歴を記憶する演奏履歴記憶部と、検索条件に基づいて検索された所定のカラオケ店舗における演奏履歴に基づいて、当該所定のカラオケ店舗の歌唱傾向を判別する店舗歌唱傾向判別部と、前記所定のカラオケ店舗の歌唱傾向の判別結果を前記携帯端末に送信する判別結果送信部と、を有し、前記携帯端末は、受信した前記判別結果に基づいて、前記所定のカラオケ店舗における歌唱傾向を示す情報を表示させる表示制御部を有するカラオケシステム。【選択図】図７
2018059977.tif 000002
【特許請求の範囲】
【請求項１】
サーバ装置及び携帯端末を含むカラオケシステムであって、
前記サーバ装置は、
カラオケ店舗におけるカラオケ楽曲の演奏履歴を記憶する演奏履歴記憶部と、
検索条件に基づいて検索された所定のカラオケ店舗における演奏履歴に基づいて、当該所定のカラオケ店舗の歌唱傾向を判別する店舗歌唱傾向判別部と、
前記所定のカラオケ店舗の歌唱傾向の判別結果を前記携帯端末に送信する判別結果送信部と、
を有し、
前記携帯端末は、
受信した前記判別結果に基づいて、前記所定のカラオケ店舗における歌唱傾向を示す情報を表示させる表示制御部と、
を有するカラオケシステム。
【請求項２】
前記サーバ装置は、
前記携帯端末で入力された検索条件に基づいて、所定のカラオケ店舗を検索する検索部を有することを特徴とする請求項１記載のカラオケシステム。
【請求項３】
前記携帯端末は、
入力された検索条件に基づいて、所定のカラオケ店舗を検索する検索部と、
検索した前記所定のカラオケ店舗を示す情報をサーバ装置に送信する店舗情報送信部と、
を有することを特徴とする請求項１記載のカラオケシステム。
【請求項４】
前記サーバ装置は、
カラオケ歌唱を行った利用者毎の歌唱履歴を記憶する歌唱履歴記憶部と、
前記歌唱履歴に基づいて、利用者毎の歌唱傾向を判別する利用者歌唱傾向判別部と、
判別した前記所定のカラオケ店舗の歌唱傾向と、前記位置情報を入力した携帯端末を所有する利用者の歌唱履歴から判別した歌唱傾向とに基づいて、検索された前記所定のカラオケ店舗の中から歌唱傾向が一致するカラオケ店舗を特定する特定部と、
を有し、
前記歌唱傾向送信部は、特定されたカラオケ店舗を識別する識別子を前記携帯端末に送信し、
前記表示制御部は、特定された前記カラオケ店舗における歌唱傾向を示す情報を他のカラオケ店舗における歌唱傾向を示す情報とは異なる態様で表示させることを特徴とする請求項１〜３のいずれか一つに記載のカラオケシステム。
【請求項５】
前記検索条件は、少なくともカラオケ店舗の位置情報を含むことを特徴とする請求項１〜４のいずれか一つに記載のカラオケシステム。
【請求項６】
カラオケ店舗におけるカラオケ楽曲の演奏履歴を記憶する演奏履歴記憶部と、
入力された検索条件に基づいて検索された所定のカラオケ店舗における演奏履歴に基づいて、当該所定のカラオケ店舗の歌唱傾向を判別する店舗歌唱傾向判別部と、
前記所定のカラオケ店舗の歌唱傾向の判別結果を前記携帯端末に送信する判別結果送信部と、
を有するサーバ装置。
【発明の詳細な説明】
【技術分野】
【０００１】
本発明はカラオケシステム及びサーバ装置に関する。
【背景技術】
【０００２】
カラオケ装置が設置される場所としては、カラオケボックス、カラオケ喫茶、ナイト店舗等がある。
【０００３】
カラオケボックスでは、店舗の個室それぞれにカラオケ装置が設置され、仲間同士で自由にカラオケ歌唱を楽しむことができる。一方、カラオケ喫茶やナイト店舗では、一の店舗に一台のカラオケ装置が設置されており、面識のない者同士が順番にカラオケ歌唱を楽しむことができる。
【０００４】
しかし、いずれの店舗であっても収容人数には限りがあるため、実際に店舗を訪れても満員でカラオケ歌唱を行うことができないという場合がありうる。
【０００５】
ここで、特許文献１には、利用者が携帯端末にて指定した駅名やＧＰＳにより把握された位置情報を用い、最寄りのカラオケ店舗の空き状況を確認できる技術が開示されている。このような技術によれば、利用者はカラオケ店舗の空き情報をリアルタイムで把握することができる。
【先行技術文献】
【特許文献】
【０００６】
【特許文献１】特開２００２−３１８９５９号公報
【発明の概要】
【発明が解決しようとする課題】
【０００７】
ところで、仲間同士で自由なカラオケ歌唱ができるカラオケボックスと異なり、ナイト店舗やカラオケ喫茶では、客層や時間帯によって歌唱傾向（歌唱されている楽曲のジャンル、年代等）が大きく異なる。
【０００８】
従って、たとえば演歌を歌唱したいと考えた利用者が、特許文献１の技術を利用して空いているナイト店舗を特定できたとする。しかし、実際にその店舗を訪れてみると客の多くがＪ−ＰＯＰのカラオケ歌唱で盛り上がっており、演歌を歌唱できる雰囲気ではなかったという場合もありうる。この場合、利用者はカラオケ歌唱を楽しむことができない。
【０００９】
本発明の目的は、カラオケ店舗の歌唱傾向を事前に提示することが可能なカラオケシステム及びサーバ装置を提供することにある。
【課題を解決するための手段】
【００１０】
上記目的を達成するための主たる発明は、サーバ装置及び携帯端末を含むカラオケシステムであって、前記サーバ装置は、カラオケ店舗におけるカラオケ楽曲の演奏履歴を記憶する演奏履歴記憶部と、検索条件に基づいて検索された所定のカラオケ店舗における演奏履歴に基づいて、当該所定のカラオケ店舗の歌唱傾向を判別する店舗歌唱傾向判別部と、前記所定のカラオケ店舗の歌唱傾向の判別結果を前記携帯端末に送信する判別結果送信部と、を有し、前記携帯端末は、受信した前記判別結果に基づいて、前記所定のカラオケ店舗における歌唱傾向を示す情報を表示させる表示制御部を有するカラオケシステムである。
本発明の他の特徴については、後述する明細書及び図面の記載により明らかにする。
【発明の効果】
【００１１】
本発明によれば、カラオケ店舗の歌唱傾向を事前に提示することができる。
【図面の簡単な説明】
【００１２】
【図１】第１実施形態に係るカラオケシステムの概略を示す図である。
【図２】第１実施形態に係るサーバ装置のハードウェア構成例を示す図である。
【図３】第１実施形態に係るサーバ装置の記憶部に記憶されているデータを示す図である。
【図４】第１実施形態に係るサーバ装置の記憶部に記憶されているデータを示す図である。
【図５】第１実施形態に係る携帯端末のハードウェア構成例を示す図である。
【図６】第１実施形態に係る携帯端末の表示画面を示す図である。
【図７】第１実施形態に係る携帯端末の表示画面を示す図である。
【図８】第１実施形態に係るカラオケシステムの処理を示すフローチャートである。
【図９】第２実施形態に係るサーバ装置のハードウェア構成例を示す図である。
【図１０】第２実施形態に係るサーバ装置の記憶部に記憶されているデータを示す図である。
【図１１】第２実施形態に係るカラオケシステムの処理を示すフローチャートである。
【発明を実施するための形態】
【００１３】
後述する明細書及び図面の記載から、上記の主たる発明の他、少なくとも以下の事項が明らかとなる。
【００１４】
前記サーバ装置が前記携帯端末で入力された検索条件に基づいて、所定のカラオケ店舗を検索する検索部を有するカラオケシステムが明らかとなる。また、前記携帯端末が、入力された検索条件に基づいて、所定のカラオケ店舗を検索する検索部と、検索した前記所定のカラオケ店舗を示す情報をサーバ装置に送信する店舗情報送信部と、を有するカラオケシステムが明らかとなる。これらのカラオケシステムによれば、利用者が任意に入力した検索条件に基づいてカラオケ店舗を検索することができる。
【００１５】
また、前記サーバ装置が、カラオケ歌唱を行った利用者毎の歌唱履歴を記憶する歌唱履歴記憶部と、前記歌唱履歴に基づいて、利用者毎の歌唱傾向を判別する利用者歌唱傾向判別部と、判別した前記所定のカラオケ店舗の歌唱傾向と、前記位置情報を入力した携帯端末を所有する利用者の歌唱履歴から判別した歌唱傾向とに基づいて、検索された前記所定のカラオケ店舗の中から歌唱傾向が一致するカラオケ店舗を特定する特定部と、を有し、前記歌唱傾向送信部が、特定されたカラオケ店舗を識別する識別子を前記携帯端末に送信し、前記表示制御部が、特定された前記カラオケ店舗における歌唱傾向を示す情報を他のカラオケ店舗における歌唱傾向を示す情報とは異なる態様で表示させるカラオケシステムが明らかとなる。このようなカラオケシステムによれば、利用者のこれまでの歌唱傾向を考慮してカラオケ店舗の歌唱傾向を提示することができる。
【００１６】
また、前記検索条件が、少なくともカラオケ店舗の位置情報を含むカラオケシステムが明らかとなる。カラオケ店舗の位置情報を検索条件とすることで、カラオケシステムは、利用者がカラオケ歌唱を希望するエリア近隣のカラオケ店舗の歌唱傾向を提示することができる。
【００１７】
或いは、カラオケ店舗におけるカラオケ楽曲の演奏履歴を記憶する演奏履歴記憶部と、携帯端末で入力された検索条件に基づいて検索された所定のカラオケ店舗における演奏履歴に基づいて、当該所定のカラオケ店舗の歌唱傾向を判別する店舗歌唱傾向判別部と、前記所定のカラオケ店舗の歌唱傾向の判別結果を前記携帯端末に送信する判別結果送信部と、を有するサーバ装置が明らかとなる。このようなサーバ装置によれば、事前に判別したカラオケ店舗の歌唱傾向を携帯端末に提供することができる。
【００１８】
＜第１実施形態＞
図１〜図８を参照して、第１実施形態に係るカラオケシステム１について説明する。
【００１９】
＝＝システム＝＝
図１に示すように、カラオケシステム１は、サーバ装置２及び携帯端末３を備える。サーバ装置２と携帯端末３とはネットワークＮを介して通信可能となっている。ネットワークＮは、たとえば公衆電話回線網やインターネット回線である。
【００２０】
一方、カラオケ装置はカラオケ楽曲の演奏及び利用者がカラオケ歌唱を行うための装置である。カラオケ装置は、ネットワークＮを介しカラオケシステム１に対してアクセスできる。本実施形態では、カラオケ店舗Ａに設置されるカラオケ装置Ｋ１、カラオケ店舗Ｂに設置されるカラオケ装置Ｋ２、カラオケ店舗Ｃに設置されるカラオケ装置Ｋ３、及びカラオケ店舗Ｄに設置されるカラオケ装置Ｋ４を例に説明する。なお、カラオケ店舗Ａ〜カラオケ店舗Ｄは、ナイト店舗やカラオケ喫茶のように一店舗につき一台のカラオケ装置が設置されている店舗である。各カラオケ装置には、当該装置が設置されている店舗を特定するための識別子（店舗ＩＤ）が記憶されている。
【００２１】
各カラオケ装置は、カラオケ楽曲の演奏履歴を記憶する。本実施形態に係る演奏履歴は、当該カラオケ装置で演奏されたカラオケ楽曲を示す情報（たとえば楽曲ＩＤ）及び演奏された時刻情報を含む。
【００２２】
各カラオケ装置は、所定時間毎（たとえば、１時間毎）に演奏履歴と店舗ＩＤを関連付けてサーバ装置２に送信する。
【００２３】
＝＝サーバ装置＝＝
サーバ装置２は、カラオケ装置に関する各種情報を管理したり、携帯端末３から送信される情報処理を行うコンピュータである。図２はサーバ装置２のハードウェア構成例を示す図である。サーバ装置２は、記憶部２０、制御部２１及び通信部２２を備える。
【００２４】
（記憶部）
記憶部２０は、各種のデータを記憶する大容量の記憶装置である。記憶部２０は、たとえば、カラオケ装置によりカラオケ演奏を行うための楽曲データ、歌詞テロップデータ、及び背景画像データ等を記憶する。各楽曲に対しては、固有の識別子（楽曲ＩＤ）が付与されている。サーバ装置２から各カラオケ装置に対して楽曲データ等を配信することにより、各カラオケ装置において対応する楽曲のカラオケ演奏が可能となる。なお、各楽曲データにはカラオケ楽曲のジャンル（Ｊ−ＰＯＰや演歌等）やカラオケ楽曲が提供された年代、曲名、歌手名等の情報が付加されている。
【００２５】
本実施形態において、記憶部２０の記憶領域の一部は、店舗情報記憶部２００、演奏履歴記憶部２０１、及び地図情報記憶部２０２として提供される。
【００２６】
店舗情報記憶部２００は、カラオケ装置が設置されている店舗に関する情報を記憶する。図３は、店舗情報記憶部２００に記憶されるテーブルデータの一例を示す。店舗情報としては、各店舗を特定するための店舗ＩＤ、店舗名、及び当該店舗の位置情報が含まれる。位置情報は、店舗の所在地を示す情報であり、たとえば、最寄りの駅名、ＧＰＳ機能で使用する座標値、及び店舗の住所等である。図３の例では、最寄りの駅名が記憶されている。
【００２７】
演奏履歴記憶部２０１は、カラオケ店舗におけるカラオケ楽曲の演奏履歴を記憶する。図４は、演奏履歴記憶部２０１に記憶されるテーブルデータの一例を示す。演奏履歴記憶部２０１は、カラオケ装置Ｋ１〜カラオケ装置Ｋ４から送信された演奏履歴を、店舗毎に時系列に記憶する（図４では、カラオケ店舗Ａ〜カラオケ店舗Ｃのみを示している）。
【００２８】
地図情報記憶部２０２は、全国の地図情報を記憶する。携帯端末３は、カラオケ店舗の位置情報及び地図情報を元に、地図上にカラオケ店舗を表示することができる。地図情報には、地図データのほか、駅や著名な建造物等、地図上で目印となる建物データを含んでいてもよい。
【００２９】
（制御部）
制御部２１は、サーバ装置２における各種の制御を行う。制御部２１はＣＰＵおよびメモリ（いずれも図示無し）を備える。ＣＰＵは、メモリに記憶されたプログラムを実行することにより各種の機能を実現する。本実施形態に係る検索部２１１、店舗歌唱傾向判別部２１２、及び送信処理部２１３は、制御部２１のＣＰＵがメモリに記憶されている動作プログラムを実行することにより実現される。
【００３０】
［検索部］
検索部２１１は、携帯端末３で入力された検索条件に基づいて、所定のカラオケ店舗を検索する。
【００３１】
検索条件は、複数あるカラオケ店舗の中から、所定のカラオケ店舗を絞り込むための条件である。検索条件は、少なくともカラオケ店舗の位置情報を含む。
【００３２】
たとえば、２０１６年９月２０日２１時３０分に携帯端末３から検索条件として駅名「五反田駅」が入力された場合（検索条件の入力については後述）、検索部２１１は、検索条件「五反田駅」を位置情報として含むカラオケ店舗を店舗情報記憶部２００から検索する。この例では、カラオケ店舗Ａ〜カラオケ店舗Ｃが「所定のカラオケ店舗」として検索される。検索部２１１は、検索結果を店舗歌唱傾向判別部２１２に出力する。
【００３３】
［店舗歌唱傾向判別部］
店舗歌唱傾向判別部２１２は、検索条件に基づいて検索された所定のカラオケ店舗における演奏履歴に基づいて、当該所定のカラオケ店舗の歌唱傾向を判別する。
【００３４】
歌唱傾向は、あるカラオケ店舗で歌唱されているカラオケ楽曲のジャンル、年代等の偏りである。歌唱傾向を判別する基準は、予め設定されていてもよいし、利用者が任意に指定したものを用いてもよい。歌唱傾向を判別する基準は、カラオケ楽曲のジャンルやカラオケ楽曲が提供された年代、曲名、歌手名等、楽曲データから特定できる情報であれば様々なものを利用できる。以下では「ジャンル」を例に説明する。
【００３５】
また、参照する演奏履歴については、店舗毎に演奏履歴記憶部２０１に記憶されている履歴全てを用いてもよいし、一部の履歴を用いてもよい。たとえば、検索条件が入力された時刻（２１時３０分）よりも前に得られた演奏履歴のうち、直近の１時間（２０時〜２１時）の履歴を使用することが可能である。このように直近の演奏履歴を使用することで、現在の歌唱傾向をより正確に提示することができる。
【００３６】
店舗歌唱傾向判別部２１２は、検索部２１１で検索されたカラオケ店舗について、演奏履歴記憶部２０１から演奏履歴を読み出す。たとえば、店舗歌唱傾向判別部２１２は、カラオケ店舗Ａにおける演奏履歴Ａ０２を読み出し、カラオケ店舗Ｂについて演奏履歴Ｂ０２を読み出し、カラオケ店舗Ｃについて演奏履歴Ｃ０２を読み出す。
【００３７】
次に、店舗歌唱傾向判別部２１２は、カラオケ店舗の演奏履歴に基づいて、カラオケ店舗の歌唱傾向を判別する。
【００３８】
この例では、店舗歌唱傾向判別部２１２は、カラオケ店舗Ａ〜カラオケ店舗Ｃ毎に、演奏履歴に含まれる楽曲ＩＤに対応する楽曲データを参照し、楽曲をジャンル毎に分類することで歌唱傾向を判別する。
【００３９】
判別結果は、たとえば、「カラオケ店舗Ａでは演歌の歌唱傾向が高く、カラオケ店舗ＢではＪ−ＰＯＰの歌唱傾向が高く、カラオケ店舗Ｃでは歌謡曲の歌唱傾向が高い」といった抽象的な情報として求められる。或いは、「カラオケ店舗Ａで演奏された楽曲：全１５曲（演歌：８曲、Ｊ−ＰＯＰ：５曲、歌謡曲：２曲）、カラオケ店舗Ｂで演奏された楽曲：全５曲（演歌：２曲、Ｊ−ＰＯＰ：３曲）、カラオケ店舗Ｃで演奏された楽曲：全１０曲（Ｊ−ＰＯＰ：３曲、歌謡曲：７曲）」といった詳細な内訳を示す情報や、「カラオケ店舗Ａにおける演奏割合。演歌：５３％、Ｊ−ＰＯＰ：３３％、歌謡曲：１３％」といった演奏比率を示す情報であってもよい。
【００４０】
［送信処理部］
送信処理部２１３は、通信部２２を介して、所定のカラオケ店舗の歌唱傾向の判別結果を携帯端末３に送信する。送信処理部２１３及び通信部２２は、「判別結果送信部」の一例である。
【００４１】
本実施形態において、送信処理部２１３は、カラオケ店舗Ａ〜カラオケ店舗Ｃ毎の歌唱傾向と併せて、それぞれの店舗の位置情報及び検索条件である「五反田駅」近隣の地図情報を送信する。
【００４２】
（通信部）
通信部２２は、サーバ装置２と、携帯端末３またはカラオケ装置Ｋ１〜カラオケ装置Ｋ４とを接続するためのインターフェースを提供する。
【００４３】
＝＝携帯端末＝＝
携帯端末３は、利用者が個人的に所有する機器である。携帯端末３は、一般的なスマートフォン、タブレット端末等である。
【００４４】
図５は携帯端末３のハードウェア構成例を示す図である。携帯端末３は、記憶部３０、通信部３１、操作部３２、表示部３３、及び制御部３４を備える。
【００４５】
記憶部３０は、表示部３３に表示される画面のレイアウトデータや各種のアイコンデータ等を記憶する。なお、地図情報記憶部２０２が記憶する地図情報を記憶部３０が記憶していることでもよい。通信部３１は、携帯端末３とサーバ装置２とを接続するためのインターフェースを提供する。操作部３２は、各種の操作入力を行うためのボタンやＧＵＩである。表示部３３は、レイアウトデータに基づいて、各種の情報を表示させる表示画面を提供する。
【００４６】
制御部３４は、サーバ装置２に対して送信する情報処理や、表示部３３における表示処理等、携帯端末３の各種処理を制御する。
【００４７】
制御部３４はＣＰＵおよびメモリ（いずれも図示無し）を備える。ＣＰＵは、メモリに記憶されたプログラムを実行することにより各種の機能を実現する。本実施形態に係る表示制御部３４ａ及び送信処理部３４ｂは、制御部３４のＣＰＵがメモリに記憶されている動作プログラムを実行することにより実現される。動作プログラムは、たとえば、携帯端末３に予めインストールされたアプリケーションソフトウェアを立ち上げることにより実行される。
【００４８】
［表示制御部］
表示制御部３４ａは、携帯端末３における各種表示制御を行う。
【００４９】
本実施形態に係る表示制御部３４ａは、検索条件を入力するための検索画面を表示部３３に表示させる。図６は、検索画面の一例である。この例では検索条件として「駅名」、「キーワード」、「ＧＰＳ検索」の３つが提示されている。「駅名」には、カラオケ店舗を検索したい駅の名前を入力できる。「キーワード」には、これから訪れる地域の大まかな住所や、ジャンル、歌手名、曲名等を入力できる。ＧＰＳ検索は、携帯端末３が有するＧＰＳ機能に基づいて、利用者の現在位置情報を求め、当該現在位置情報を検索条件とする。
【００５０】
また、本実施形態に係る表示制御部３４ａは、サーバ装置２から受信した判別結果に基づいて、所定のカラオケ店舗における歌唱傾向を示す情報を表示させる。
【００５１】
たとえば、検索画面で駅名「五反田駅」を入力した結果、五反田駅周辺の地図情報、五反田駅近隣にあるカラオケ店舗Ａ〜カラオケ店舗Ｃの位置情報、及び「カラオケ店舗Ａでは演歌の歌唱傾向が高く、カラオケ店舗ＢではＪ−ＰＯＰの歌唱傾向が高く、カラオケ店舗Ｃでは歌謡曲の歌唱傾向が高い」という判別結果がサーバ装置２から送信されたとする。
【００５２】
表示制御部３４ａは、これらの情報に基づいて、カラオケ店舗Ａ〜カラオケ店舗Ｃにおける歌唱傾向を示す情報を表示部３３に表示させる。歌唱傾向を示す情報は、受信した判別結果に基づいて利用者に提示される情報である。たとえば、歌唱傾向を示す情報は、判別結果そのものでもよいし、図７に示すように地図情報やカラオケ店舗のアイコン等を含めた状態で提示してもよい。
【００５３】
図７は表示画面の一例である。図７の例では、画面の右側には、五反田駅を含む周辺の地図、及びカラオケ店舗Ａ〜カラオケ店舗Ｃの位置を示すアイコンが表示される。また画面の左側には、各カラオケ店舗の歌唱傾向（最も歌唱されているジャンル）が店舗名と共に表示される。
【００５４】
なお、歌唱傾向を示す情報の表示態様は各カラオケ店舗における歌唱傾向を提示できるものであれば上記例に限られない。たとえば、カラオケ店舗のアイコンの横に歌唱傾向が最も高いジャンル名や割合を直接表示させてもよい。また、歌唱傾向の高いジャンルに合わせて店舗アイコンの色を変えて表示することでもよい。このようにアイコンの色を変えることも「歌唱傾向を示す情報」の一例である。また、カラオケ店舗のアイコンの横に歌唱傾向が最も高いジャンル名を表示させ、そのカラオケ店舗のアイコンをクリックすると別ウインドウでそのカラオケ店舗における詳細な判別結果（カラオケ店舗Ａであれば演歌８曲、Ｊ−ＰＯＰ５曲、歌謡曲２曲）が表示されてもよい。更には図７のように地図やアイコンで提示する代わりに、カラオケ店舗名、住所、及び歌唱傾向を示す情報を文字で記したリストとして表示させることでもよい。更に、送信された判別結果全てを「歌唱傾向を示す情報」として表示させてもよいし、判別結果の一部だけ（たとえば、最も歌唱傾向が高いジャンルのみ）を「歌唱傾向を示す情報」として表示させてもよい。
【００５５】
［送信処理部］
送信処理部３４ｂは、通信部３１を介してサーバ装置２に対して情報の送信を行う。
【００５６】
たとえば、図６の例で、利用者が操作部３２を介し検索条件の一つである「駅名」欄に「五反田駅」と入力したとする。この場合、送信処理部３４ｂは、通信部３１を介し、入力された検索条件をサーバ装置２に送信する。
【００５７】
＝＝カラオケシステムにおける処理について＝＝
次に、図８を参照して本実施形態に係るカラオケシステム１における処理の具体例について述べる。図８は、カラオケシステム１における処理例を示すフローチャートである。この例では、演奏履歴記憶部２０１に各カラオケ装置における演奏履歴が記憶されているとする。
【００５８】
利用者は、携帯端末３の検索画面において、所定のカラオケ店舗を検索するための検索条件を入力する（検索条件の入力。ステップ１０）。携帯端末３の送信処理部３４ｂは、通信部３１を介して検索条件をサーバ装置２に送信する（検索条件の送信。ステップ１１）。
【００５９】
検索部２１１は、ステップ１１で送信された検索条件に基づいて、所定のカラオケ店舗を検索する（店舗の検索。ステップ１２）
【００６０】
店舗歌唱傾向判別部２１２は、ステップ１２で検索された所定のカラオケ店舗について、当該店舗における演奏履歴を演奏履歴記憶部２０１から読み出し、当該カラオケ店舗の歌唱傾向を判別する（歌唱傾向の判別。ステップ１３）。
【００６１】
送信処理部２１３は、通信部２２を介し、ステップ１３で得られた判別結果を携帯端末３に送信する（判別結果の送信。ステップ１４）。
【００６２】
表示制御部３４ａは、ステップ１４で送信された判別結果に基づいて、所定のカラオケ店舗における歌唱傾向を示す情報を表示させる（歌唱傾向の提示。ステップ１５）。
【００６３】
このように、本実施形態に係るカラオケシステム１によれば、カラオケ店舗の歌唱傾向を事前に提示することができる。従って、ナイト店舗のように面識のない者同士がカラオケ歌唱を行う場合であっても事前に当該店舗の歌唱傾向を把握できるため、店舗に足を運んだが希望する楽曲を歌唱できる雰囲気ではないといったことがなく、利用者はカラオケ歌唱を楽しむことができる。
【００６４】
＜第２実施形態＞
次に、図９〜図１１を参照して、第２実施形態に係るカラオケシステム１について説明する。第２実施形態では、利用者の歌唱傾向を考慮してカラオケ店舗の歌唱傾向を提示する構成について説明を行う。第１実施形態と同様の構成については詳細な説明を省略する。
【００６５】
＝＝サーバ装置＝＝
図９は、本実施形態に係るサーバ装置２のハードウェア構成を示す図である。
【００６６】
本実施形態に係る記憶部２０の記憶領域の一部は、店舗情報記憶部２００、演奏履歴記憶部２０１、地図情報記憶部２０２、及び歌唱履歴記憶部２０３として提供される。
【００６７】
歌唱履歴記憶部２０３は、カラオケ歌唱を行った利用者毎の歌唱履歴を記憶する。図１０は、歌唱履歴記憶部２０３に記憶されるテーブルデータの一例を示す。歌唱履歴は、たとえば、カラオケ歌唱を行った利用者を識別するための識別子（利用者ＩＤ）、利用者名、カラオケ歌唱を行った日付、カラオケ歌唱を行った楽曲を示す情報（楽曲ＩＤ）を含む。
【００６８】
（制御部）
本実施形態に係る検索部２１１、店舗歌唱傾向判別部２１２、送信処理部２１３、利用者歌唱傾向判別部２１４、及び特定部２１５は、制御部２１のＣＰＵがメモリに記憶されている動作プログラムを実行することにより実現される。
【００６９】
［利用者歌唱傾向判別部］
利用者歌唱傾向判別部２１４は、歌唱履歴に基づいて、利用者毎の歌唱傾向を判別する。
【００７０】
たとえば、利用者Ｘの歌唱履歴を判別する例について述べる。ここで、図１０の例において、利用者Ｘが歌唱した楽曲が全部で３０曲あるとする。利用者歌唱傾向判別部２１４は、この３０曲について歌唱履歴に含まれる楽曲ＩＤに対応する楽曲データを参照し、ジャンル毎に分類することで歌唱傾向を判別する。この例では、３０曲中、２０曲が演歌であり、６曲がＪ−ＰＯＰであり、４曲が歌謡曲であるという判別結果が得られたとする。
【００７１】
［特定部］
特定部２１５は、判別した所定のカラオケ店舗の歌唱傾向と、位置情報を入力した携帯端末を所有する利用者の歌唱履歴から判別した歌唱傾向とに基づいて、検索された所定のカラオケ店舗の中から歌唱傾向が一致するカラオケ店舗を特定する。
【００７２】
たとえば、利用者Ｘが「五反田駅」を検索条件として入力した場合に、店舗歌唱傾向判別部２１２による判別結果が「カラオケ店舗Ａでは演歌の歌唱傾向が高く、カラオケ店舗ＢではＪ−ＰＯＰの歌唱傾向が高く、カラオケ店舗Ｃでは歌謡曲の歌唱傾向が高い」であったとする。
【００７３】
ここで、特定部２１５は、カラオケ店舗Ａ〜カラオケ店舗Ｃの歌唱傾向と、利用者Ｘの歌唱傾向（上記参照）を比較し、カラオケ店舗Ａ〜カラオケ店舗Ｃの中から歌唱傾向が一致するものが無いかを判断する。この例では、利用者Ｘは演歌の歌唱傾向が高い（３０曲中２０曲）ところ、カラオケ店舗Ａも演歌の歌唱傾向が高いという判別結果が得られている。この場合、特定部２１５は、歌唱傾向が一致するカラオケ店舗としてカラオケ店舗Ａを特定する。
【００７４】
本実施形態に係る送信処理部２１３は、店舗歌唱傾向判別部２１２による判別結果を携帯端末３に送信する際に、特定されたカラオケ店舗を識別する識別子（この例ではカラオケ店舗Ａの識別子）を併せて携帯端末３に送信する。
【００７５】
＝＝携帯端末＝＝
本実施形態に係る表示制御部３４ａは、特定されたカラオケ店舗における歌唱傾向を示す情報を他のカラオケ店舗における歌唱傾向を示す情報とは異なる態様で表示させる。
【００７６】
たとえば、図７のような画面を表示させる際、表示制御部３４ａは、特定されたカラオケ店舗Ａを識別する識別子に基づいて、カラオケ店舗Ａのアイコンだけを点滅表示させたり、表示されるジャンルの文字の色を他のカラオケ店舗のジャンルと異なる色で表示させる。或いは、カラオケ店舗Ａについては、歌唱傾向に含まれる全てのジャンル名を表示させ、他のカラオケ店舗については歌唱傾向が最も高いジャンル名のみを表示させることも可能である。なお、特定されたカラオケ店舗における歌唱傾向を示す情報を他のカラオケ店舗における歌唱傾向を示す情報と区別できるものであれば、表示態様は上記例に限られない。
【００７７】
＝＝カラオケシステムにおける処理について＝＝
次に、図１１を参照して本実施形態に係るカラオケシステム１における処理の具体例について述べる。図１１は、カラオケシステム１における処理例を示すフローチャートである。この例では、演奏履歴記憶部２０１に各カラオケ装置における演奏履歴が記憶されているとする。また、歌唱履歴記憶部２０３にカラオケ歌唱を行った利用者Ｘの歌唱履歴が記憶されているとする。また、利用者Ｘが携帯端末３を介して自己の利用者ＩＤでカラオケシステム１にログインしているとする。
【００７８】
利用者Ｘは、携帯端末３の検索画面において、所定のカラオケ店舗を検索するための検索条件を入力する（検索条件の入力。ステップ２０）。携帯端末３の送信処理部３４ｂは、通信部３１を介して検索条件及び利用者ＩＤをサーバ装置２に送信する（検索条件及び利用者ＩＤの送信。ステップ２１）。
【００７９】
検索部２１１は、ステップ２１で送信された検索条件に基づいて、所定のカラオケ店舗を検索する（店舗の検索。ステップ２２）
【００８０】
店舗歌唱傾向判別部２１２は、ステップ２２で検索された所定のカラオケ店舗について、当該店舗における演奏履歴を演奏履歴記憶部２０１から読み出し、当該カラオケ店舗の歌唱傾向を判別する（店舗歌唱傾向の判別。ステップ２３）。
【００８１】
また、利用者歌唱傾向判別部２１４は、ステップ２１で送信された利用者ＩＤに基づいて利用者Ｘの歌唱履歴を読み出し、利用者Ｘの歌唱傾向を判別する（利用者歌唱傾向の判別。ステップ２４）。
【００８２】
特定部２１５は、ステップ２３で判別した所定のカラオケ店舗の歌唱傾向と、ステップ２４で判別した利用者Ｘの歌唱傾向とに基づいて、検索された所定のカラオケ店舗の中から歌唱傾向が一致するカラオケ店舗を特定する（カラオケ店舗の特定。ステップ２５）。
【００８３】
送信処理部２１３は、通信部２２を介し、ステップ２３で得られた判別結果及びステップ２５で特定されたカラオケ店舗を識別する識別子を利用者Ｘの携帯端末３に送信する（判別結果及び特定結果の送信。ステップ２６）。
【００８４】
表示制御部３４ａは、ステップ２６で送信された判別結果及び特定結果に基づいて、特定されたカラオケ店舗における歌唱傾向を示す情報を他のカラオケ店舗における歌唱傾向を示す情報とは異なる態様で表示させる（異なる態様で歌唱傾向を提示。ステップ２７）。
【００８５】
このように、本実施形態に係るカラオケシステム１によれば、利用者のこれまでの歌唱傾向を考慮してカラオケ店舗の歌唱傾向を提示することができる。従って、利用者は細かい検索条件を入力しなくとも位置情報を入力するだけで自分好みのカラオケ店舗を把握することができる。
【００８６】
＜変形例＞
上記実施形態では、サーバ装置２側で検索処理を実行する例について述べたがこれに限られない。すなわち、携帯端末３側で検索部２１１に相当する構成を有することも可能である。この場合、携帯端末３の記憶部３０には、店舗ＩＤ、店舗名及び位置情報が関連付けて記憶されている。携帯端末３の検索部は、入力された検索条件に基づいて、所定のカラオケ店舗を検索する。送信処理部３４ｂは、通信部３１を介して検索した所定のカラオケ店舗を示す情報（たとえば、店舗ＩＤ）をサーバ装置２に送信する。サーバ装置２の店舗歌唱傾向判別部２１２は、対応する店舗ＩＤに関連付けられている演奏履歴に基づいて、所定のカラオケ店舗の歌唱傾向を判別する。そして、送信処理部２１３は、通信部２２を介し、所定のカラオケ店舗の歌唱傾向の判別結果を携帯端末３に送信する。このような構成によっても、表示制御部３４ａは、上記実施形態と同様、受信した判別結果に基づいて、所定のカラオケ店舗における歌唱傾向を示す情報を表示できる。この例における送信処理部３４ｂ及び通信部３１は、「店舗情報送信部」の一例である。
【００８７】
また、検索条件として、カラオケ楽曲のジャンルや歌手名等を併せて入力することも可能である。たとえば、検索条件として「五反田駅」、「演歌」が入力された場合、検索部２１１は、店舗情報記憶部２００を参照し、検索条件「五反田駅」に含まれるカラオケ店舗Ａ〜カラオケ店舗Ｃを検索する。更に、検索部２１１は、演奏履歴記憶部２０１を参照し、カラオケ店舗Ａ〜カラオケ店舗Ｃのうち、演歌が歌唱されているカラオケ店舗Ａ及びカラオケ店舗Ｂを「所定のカラオケ店舗」として検索する。
【００８８】
この際に参照する演奏履歴については、演奏履歴記憶部２０１に記憶されている履歴全てを用いてもよいし、一部の履歴を用いてもよい。たとえば、検索条件が入力された時刻（２１時３０分）よりも前に得られた演奏履歴のうち、直近の１時間（２０時〜２１時）の履歴を使用することが可能である。また、検索条件として入力されたキーワードを、店舗歌唱傾向判別部２１２における歌唱傾向を判別する基準として使用することも可能である。
【００８９】
また、上記実施形態においてサーバ装置２から判別結果を携帯端末に送信する際に、特許文献１の技術を組み合わせることも可能である。すなわち、サーバ装置２は、判別結果を送信する際に、所定のカラオケ店舗の空き状況を検索する。そして、送信処理部２１３は、判別結果を送信する際に、空いているカラオケ店舗の判別結果のみを携帯端末３に送信する。このようなカラオケシステムによれば、歌唱傾向を参照して訪れたカラオケ店舗で歌唱できないような事態を防止することができる。
【００９０】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００９１】
１  カラオケシステム
２  サーバ装置
３  携帯端末
２０  記憶部
２１、３４  制御部
２２、３１  通信部
３３  表示部
３４ａ  表示制御部
２０１  演奏履歴記憶部
２１１  検索部
２１２  店舗歌唱傾向判別部
３４ｂ、２１３  送信処理部
【図１】
2018059977.tif 000003
【図２】
2018059977.tif 000004
【図３】
2018059977.tif 000005
【図４】
2018059977.tif 000006
【図５】
2018059977.tif 000007
【図６】
2018059977.tif 000008
【図７】
2018059977.tif 000009
【図８】
2018059977.tif 000010
【図９】
2018059977.tif 000011
【図１０】
2018059977.tif 000012
【図１１】
2018059977.tif 000013